(57)【特許請求の範囲】
【請求項１】
本体部と、該本体部から延伸したホースと、該ホースの先端に設けた吸い込み部とからなる残水処理ポンプであって、
ポンプ周辺の水位を検出して、該ポンプの稼働を制御するための水位センサを設け、
前記水位センサが、前記吸い込み部の周辺に配置する一組の電極と、前記一組の電極間の通電を検知して、前記本体部の稼働を制御する制御装置と、からなり、
前記一組の電極のうち、少なくとも何れか一方の電極の先端位置の高さを、任意に調整自在に構成し、
前記制御装置は、前記一組の電極間が通電状態の場合には、ポンプの運転を開始又は維持し、前記一組の電極間の非通電状態が一定時間維持された場合に、ポンプを停止することを特徴とする、残水処理ポンプ。
【請求項２】
前記吸い込み部が、略漏斗状の蓋体と、該蓋体の底部に設けた吸水口と、前記蓋体と前記ホースとを固定するように前記蓋体の底部から螺合するボルトと、からなり、
前記ボルトの先端部分を、前記蓋体の上部から露出するよう構成し、
前記一組の電極のうち、一方の電極の先端をナットで構成し、前記ナットを前記ボルトの露出部分に螺合して位置決めし、
前記一組の電極のうち、他方の電極の先端位置を調整自在に構成したことを特徴とする、請求項１に記載の残水処理ポンプ。
【発明の詳細な説明】
【技術分野】
【０００１】
本発明は、工事現場などで発生する余剰水を排出するための残水処理ポンプに関する。
【背景技術】
【０００２】
水中ポンプの種類の一つとして残水処理ポンプがある。
残水処理ポンプは、いわゆる掃除機のような形態を呈するポンプであり、モータ等を備えた本体部からホースを延伸させ、該ホースの先端部分に略漏斗状の吸水口を設け、該吸水口から残水を汲み上げるポンプである。
残水処理ポンプは、比較的規模の小さな現場において汲み上げ作業処理が必要な箇所にポンプをその都度運搬しながら使用する方法が一般的である。
【０００３】
一般的な残水処理ポンプには、下記の非特許文献１に記載の製品が知られている。
【先行技術文献】
【非特許文献】
【０００４】
【非特許文献１】http://www.shinmaywa.co.jp/pump/products/pdf/bvr.pdf
【発明の概要】
【発明が解決しようとする課題】
【０００５】
しかし、前記従来の残水処理ポンプは、下記の問題のうち、少なくとも何れか一つの問題が生じ得る。
（１）吸水箇所で渇水現象が生じてしまうと、本体部内部のモータが焼損してしまう可能性がある。
（２）稼働時におけるポンプ内部のモータ音が騒音の原因となる。
（３）使用電力の無駄が大きい。
（４）上記（１）〜（３）の問題を回避するには、常に作業員が傍で確認する必要がある。
【０００６】
したがって、本発明は、渇水時にポンプの稼働を自動停止することが可能な残水処理ポンプを提供することを目的の一つとするものである。
【課題を解決するための手段】
【０００７】
本願の第１発明は、本体部と、該本体部から延伸したホースと、該ホースの先端に設けた吸い込み部とからなる残水処理ポンプであって、ポンプ周辺の水位を検出して、該ポンプの稼働を制御するための水位センサを設け、前記水位センサが、前記吸い込み部の周辺に配置する一組の電極と、前記一組の電極間の通電を検知して、前記本体部の稼働を制御する制御装置と、からなり、前記一組の電極のうち、少なくとも何れか一方の電極の先端位置の高さを、任意に調整自在に構成し、前記制御装置は、前記一組の電極間が通電状態の場合には、ポンプの運転を開始又は維持し、前記一組の電極間の非通電状態が一定時間維持された場合に、ポンプを停止することを特徴とする、残水処理ポンプを提供するものである。
【０００９】
本願の第２発明は、前記発明において、前記吸い込み部が、略漏斗状の蓋体と、該蓋体の底部に設けた吸水口と、前記蓋体と前記ホースとを固定するように前記蓋体の底部から螺合するボルトと、からなり、前記ボルトの先端部分を、前記蓋体の上部から露出するよう構成し、前記一組の電極のうち、一方の電極の先端をナットで構成し、前記ナットを前記ボルトの露出部分に螺合して位置決めし、前記一組の電極のうち、他方の電極の先端位置を調整自在に構成したことを特徴とするものである。
【発明の効果】
【００１０】
本発明によれば、以下に示す効果のうち何れか１つを得ることができる。
（１）吸水箇所での渇水現象を極力回避し、ポンプの長寿命化に寄与する。
（２）ポンプの過剰な稼働を抑制するため、無用な騒音を防止できる。
（３）消費電力を節約できる。
（４）渇水状態を監視する作業員が不要であり、無人化できる。
（５）水位の検知レベルの調整が容易である。
【図面の簡単な説明】
【００１１】
【図１】本発明の残水処理ポンプの構成を示す概略図。
【図２】本発明の残水処理ポンプの吸い込み部周辺の部分拡大図。
【図３】本発明の残水処理ポンプのその他の実施例を示す部分概略図。
【発明を実施するための形態】
【００１２】
以下、図１を参照しながら、本発明の残水処理ポンプの実施例について説明する。
【実施例】
【００１３】
＜１＞全体構成
図１は、本発明の残水処理ポンプの構成を示す概略図である。
本発明の残水処理ポンプＡは、本体部１と、該本体部１から延伸したホース２と、該ホース２の先端に設けた吸い込み部３と、ポンプ（本体部１）の稼働を制御するための水位センサ４と、を少なくとも含む。
本体部１及びホース２は、公知の残水処理ポンプの各部品を用いれば良い為、詳細な説明並びに図示を省略する。
【００１４】
＜２＞吸い込み部
図２は、本発明の残水処理ポンプの吸い込み部周辺の部分拡大図である。
吸い込み部３は、周辺の水を集水して汲み上げる為の部材である。
本実施例における吸い込み部３は、略漏斗状の蓋体３１と、該蓋体３１の底部に設けた吸水口３２と、蓋体とホースとを固定するためのボルト３３を少なくとも含んで構成する。
【００１５】
蓋体３１には、吸い込み部周辺からホース２へと残水を案内するための吸水溝３１１を設ける。
なお、蓋体３１の形状は本実施例に限定されるものではなく、現場での取扱性を考慮した様々な形状を採用することができる。
【００１６】
吸水口３２は、多数の通水穴を設けた平板状の部材である。
吸水口３２に設けた螺合穴にボルト３３を螺合することにより、ホース２と吸い込み部３とを連結し、前記通水穴を経由してホース２へと残水を汲み上げることができる。
【００１７】
このとき、一部のボルト３３は、必要長以上の長さを呈するものとしておくことができる。このようにすれば、ボルト３３は、ホース２と吸い込み部３との連結だけでなく、後述する電極４１の位置決め用の部材として兼用することができる。
【００１８】
＜３＞水位センサ
水位センサ４は、ポンプ周辺の水位を検出して、該ポンプの稼働を制御するための部材である。
水位センサ４は、吸い込み部３の周辺に配置する一組の電極４１，４２と、前記一組の電極間の通電を検知して、本体部１の稼働を制御する制御装置４３と、から構成する。
【００１９】
（１）一組の電極
一組の電極４１，４２は、両電極（４１，４１）間の通電の有無によって水の有無を検知するための部材である。
一組の電極４１，４２は制御装置４３から通電可能に延伸して設けてあり、互いに離間して配置する。
離間空間に水が存在する場合には、両電極間は水を介して通電状態となる。反対に、離間空間に水が存在しない合には、両電極間は非通電状態となる。
【００２０】
［配置例］
本発明は、一組の電極４１，４２を検知したい水位レベルに応じて適宜配置すればよく、配置形態が特段限定されるものでは無い。
本発明は、原理上、一組の電極４１，４２のうち、高い位置にある電極の高さ未満に水位が低下すれば非通電状態となることから、何れか一方の電極に対して使用者が電極の高さを調整できれば、検知すべき水位レベルを制御することができる。
なお、図２に示す実施例では、前記一組の電極のうち、一方の電極４１の先端にナット４１１を設け、前記吸い込み部３から露出する前記ボルト３３に螺合することにより、所定の箇所に位置決めしている。
【００２１】
［構成例］
前述の通り、検知したい水位レベルの調整にあたり、少なくとも何れか一方の電極の先端位置の高さは、任意に調整自在に構成しておくことが望ましい。
図２に示す実施例では、前記一組の電極のうち、他方の電極４２の先端近傍の高さＨを調整自在な機構としている。
その方法としては、他方の電極４２の先端部４２１近傍を、針金を内包した周知のベンダブル機構を形成した折曲部４２２とすること等が考えられる。
【００２２】
（２）制御装置
制御装置４３は、前記一組の電極４１，４２間の通電状態／非通電状態に基づいて、ポンプの稼働（運転又は停止）を制御する装置である。
通電状態の場合には、ポンプの運転状態を開始（維持）する。
非通電状態の場合には、ポンプの運転状態を停止方向へと遷移する。
停止方向とは、ポンプを直ちに停止するのではなく、非通電状態が一定時間維持した場合に、ポンプを停止するような処理を指す。
このような処理とすれば、通電・非通電状態の境界付近で水位が変化する場合にポンプの運転・停止が頻繁に切り替わらなくなり、ポンプの故障を防止できる点で有益である。
制御装置４３の取付位置は本体部１の内部や外部等、何れの場所でも良く、特段限定されるものではない。
【００２３】
［その他の実施例］
図３は、本発明の残水処理ポンプのその他の実施例を示す部分概略図である。
本発明の一組の電極４１，４２は、図３に示すようにホース２に対して螺旋状に巻き付けることもできる。このとき、ホース２の外周に螺旋溝を設け、当該螺旋溝に沿うように巻き付ける方法を採用することもできる。
【符号の説明】
【００２４】
１      本体部
２      ホース
３      吸い込み部
３１    蓋体
３１１  吸水溝
３２    吸水口
３３    ボルト
４      水位センサ
４１    電極
４２    電極
４２１  先端部
４２２  折曲部
４３    制御装置
【図１】
0005390561.tif 000002
【図２】
0005390561.tif 000003
【図３】
0005390561.tif 000004